(57)【要約】【課題】第１レンズに対する入射角度を狭めずに、防水性を向上することのできるレンズユニットおよび光学装置を提供すること。【解決手段】レンズユニット１において、最も物体側Ｌ１に配置された第１レンズ１１は、第１レンズ面１１１の外周側から像側Ｌ２に向けて突出した非レンズ部１１５を備えており、非レンズ部１１５の像側Ｌ２には、第１レンズ１１を第１レンズ保持部７３に固定する固定部４が設けられている。このため、第１レンズ１１の物体側Ｌ１には、第１レンズ１１に対する入射角度を狭める部位が存在せず、物体側Ｌ１から高圧水流を供給しても、第１レンズ１１とレンズバレル７との間に水が侵入しない。また、シール部材５は、非レンズ部１１５より径方向内側で第１レンズ１１とレンズバレル７との間をシールしているため、像側Ｌ２に水が回り込んでも、第１レンズ１１とレンズバレル７との間に水が侵入しない。【選択図】図１
2015210334.tif 000002
【特許請求の範囲】
【請求項１】
複数のレンズと、
前記複数のレンズを保持するレンズバレルと、
前記複数のレンズのうち、最も物体側に配置された第１レンズと前記レンズバレルとの間に配置されたシール部材と、
を有し、
前記第１レンズは、物体側に向くレンズ面と、該レンズ面の外周側から像側に突出した非レンズ部と、を備え、
前記レンズバレルは、前記第１レンズに像側で重なる第１レンズ保持部を備え、
前記シール部材は、前記非レンズ部より径方向内側で前記第１レンズと前記レンズバレルとの間に配置され、
前記非レンズ部の像側には、前記第１レンズを前記第１レンズ保持部に固定する固定部が設けられていることを特徴とするレンズユニット。
【請求項２】
前記固定部は、前記非レンズ部のうち、前記第１レンズ保持部に像側から重なる部分からなることを特徴とする請求項１に記載のレンズユニット。
【請求項３】
前記固定部は、像側に向けて突出した部分を前記第１レンズ保持部に像側から重なるように変形させたカシメ部からなることを特徴とする請求項２に記載のレンズユニット。
【請求項４】
前記カシメ部は、前記第１レンズ保持部の径方向外側の端部に像側から重なっていることを特徴とする請求項３に記載のレンズユニット。
【請求項５】
前記カシメ部は、前記第１レンズ保持部に形成された穴の周りに像側から重なっていることを特徴とする請求項３に記載のレンズユニット。
【請求項６】
前記非レンズ部には、像側に向けて突出して前記穴に嵌る突起が形成されており、
前記カシメ部は、前記突起の像側の端部で前記穴の周りに像側から重なっていることを特徴とする請求項５に記載のレンズユニット。
【請求項７】
前記シール部材は、前記第１レンズと前記レンズバレルとによって径方向で挟まれたゴム製のＯリングからなることを特徴とする請求項１乃至６の何れか一項に記載のレンズユニット。
【請求項８】
前記Ｏリングは、前記非レンズ部の内周面と、前記第１レンズ保持部において前記非レンズ部の内周面に径方向内側で対向する段部との間に挟まれていることを特徴とする請求項７に記載のレンズユニット。
【請求項９】
請求項１乃至８の何れか一項に記載のレンズユニットを備えた光学装置であって、
前記レンズバレルを径方向外側で囲む胴部を備えたホルダと、
前記レンズバレルと前記ホルダとの間を封止する封止部と、
を有し、
前記胴部には、前記封止部より物体側にホルダ側貫通穴が形成されていることを特徴とする光学装置。
【発明の詳細な説明】
【技術分野】
【０００１】
本発明は、レンズバレルに複数のレンズが保持されたレンズユニットおよび光学装置に関するものである。
【背景技術】
【０００２】
レンズユニットでは、図５に示すように、レンズバレル７ｘに複数のレンズ（第１レンズ１１、第２レンズ１２、第３レンズ１３および接合レンズ１４）が保持されており、複数のレンズのうち、最も物体側Ｌ１に位置する第１レンズ１１とレンズバレル７ｘとの間にはシール部材５ｘが配置されている。また、レンズバレル７ｘは、シール部材５ｘより物体側Ｌ１で第１レンズ１１の外周面を囲む第１レンズ保持用筒部７４ｘと、第１レンズ保持用筒部７４ｘの物体側Ｌ１の端部で第１レンズ１１の外周側端部に物体側Ｌ１から被さって第１レンズ１１を保持するカシメ部７７ｘを備えている（例えば、特許文献１参照）。
【０００３】
このように構成したレンズユニットの防水性を評価するにあたって、矢印Ｗ０で示すように、物体側Ｌ１から高圧水流を供給すると、矢印Ｗ１０で示すように、第１レンズ１１とカシメ部７７ｘとの間から第１レンズ１１の外周面１１０と第１レンズ保持用筒部７４ｘとの間に水が侵入し、その時の水圧でカシメ部７７ｘが物体側Ｌ１に変形して、第１レンズ１１が位置ずれするという問題がある。
【０００４】
そこで、第１レンズ１１の外周面１１０と第１レンズ保持用筒部７４ｘとの隙間を部分的に拡張し、流入した水による圧力を緩和する構造が提案されている（特許文献２参照）。
【先行技術文献】
【特許文献】
【０００５】
【特許文献１】特開２００８−２３３４１４号公報
【特許文献２】特開２００９−１５７１２１号公報
【発明の概要】
【発明が解決しようとする課題】
【０００６】
しかしながら、特許文献２に記載の構成を採用した場合でも、第１レンズ１１の外周面１１０と第１レンズ保持用筒部７４ｘとの間への水の侵入量が多くなると、その時の水圧でカシメ部７７ｘが物体側Ｌ１に変形する。このため、第１レンズ１１が位置ずれするという問題を解消することができない。一方、カシメ部７７ｘが第１レンズ１１に被さる幅寸法を広くした構成や、カシメ部７７ｘの光軸方向の厚さを厚くした構成にして、カシメ部７７ｘの強度を高めると、第１レンズ１１に対する入射角度が制限されてしまう。このため、第１レンズ１１、第２レンズ１２、第３レンズ１３および接合レンズ１４によって広角レンズを構成した場合には、上記の構成を採用するのは困難である。
【０００７】
以上の問題点に鑑みて、本発明の課題は、第１レンズに対する入射角度を狭めずに、防水性を向上することのできるレンズユニットおよび光学装置を提供することにある。
【課題を解決するための手段】
【０００８】
上記課題を解決するために、本発明に係るレンズユニットは、複数のレンズと、前記複数のレンズを保持するレンズバレルと、前記複数のレンズのうち、最も物体側に配置された第１レンズと前記レンズバレルとの間に配置されたシール部材と、を有し、前記第１レ
ンズは、物体側に向くレンズ面と、該レンズ面の外周側から像側に突出した非レンズ部と、を備え、前記レンズバレルは、前記第１レンズに像側で重なる第１レンズ保持部を備え、前記シール部材は、前記非レンズ部より径方向内側で前記第１レンズと前記レンズバレルとの間に配置され、前記非レンズ部の像側には、前記第１レンズを前記第１レンズ保持部に固定する固定部が設けられていることを特徴とする。
【０００９】
本発明において、最も物体側に配置された第１レンズは、レンズ面の外周側から像側に向けて突出した非レンズ部を備えており、非レンズ部の像側には、第１レンズを第１レンズ保持部に固定する固定部が設けられている。このため、第１レンズの物体側には、第１レンズに対する入射角度を狭める部位が存在しない。また、第１レンズの物体側には、水の侵入経路は存在しない。また、シール部材は、非レンズ部より径方向内側で第１レンズとレンズバレルとの間をシールしているため、第１レンズの像側に水が回り込んでも、第１レンズとレンズバレルとの間に水が侵入しない。それ故、本発明によれば、第１レンズに対する入射角度を狭めずに、防水性を向上することができる。
【００１０】
本発明において、前記固定部は、前記非レンズ部のうち、前記第１レンズ保持部に像側から重なる部分からなる構成を採用することができる。
【００１１】
例えば、本発明において、前記固定部は、像側に向けて突出した部分を前記第１レンズ保持部に像側から重なるように変形させたカシメ部からなる。
【００１２】
本発明において、前記カシメ部は、前記第１レンズ保持部の径方向外側の端部に像側から重なっている構成を採用することができる。
【００１３】
本発明において、前記カシメ部は、前記第１レンズ保持部に形成された穴の周りに像側から重なっている構成を採用してもよい。
【００１４】
本発明において、前記非レンズ部には、像側に向けて突出して前記穴に嵌る突起が形成されており、前記カシメ部は、前記突起の像側の端部で前記穴の周りに像側から重なっていることが好ましい。かかる構成によれば、突起が第１レンズに対する回り止め部として機能する。従って、水圧が第１レンズに加わっても、第１レンズが光軸周りに回転しにくい。
【００１５】
本発明において、前記シール部材は、前記第１レンズと前記レンズバレルとによって径方向で挟まれたゴム製のＯリングからなることが好ましい。かかる構成によれば、Ｏリングの反発力が第１レンズを物体側あるいは像側に押圧する力として作用しにくいので、固定部に負荷が加わりにくい。
【００１６】
本発明において、前記Ｏリングは、前記非レンズ部の内周面と、前記第１レンズ保持部において前記非レンズ部の内周面に径方向内側で対向する段部との間に挟まれている構成を採用することができる。
【００１７】
本発明に係るレンズユニットを備えた光学装置は、前記レンズバレルを径方向外側で囲む胴部を備えたホルダと、前記レンズバレルと前記ホルダとの間を封止する封止部と、を有し、前記胴部には、前記封止部より物体側にホルダ側貫通穴が形成されていることが好ましい。かかる構成によれば、レンズバレルとホルダとの間に侵入した水をホルダ側貫通穴から排出することができる。
【発明の効果】
【００１８】
本発明において、最も物体側に配置された第１レンズは、レンズ面の外周側から像側に
向けて突出した非レンズ部を備えており、非レンズ部の像側に向く部分には、第１レンズを第１レンズ保持部に固定する固定部が設けられている。このため、第１レンズの物体側には、第１レンズに対する入射角度を狭める部位が存在しない。また、第１レンズの物体側には、水の侵入経路は存在しない。また、シール部材は、非レンズ部より径方向内側で第１レンズとレンズバレルとの間をシールしているため、第１レンズの像側に水が回り込んでも、第１レンズとレンズバレルとの間に水が侵入しない。それ故、本発明によれば、第１レンズに対する入射角度を狭めずに、防水性を向上することができる。
【図面の簡単な説明】
【００１９】
【図１】本発明の実施の形態１に係るレンズユニットの説明図である。
【図２】本発明の実施の形態１に係るレンズユニットにおける第１レンズとレンズバレルとの固定部の説明図である。
【図３】本発明の実施の形態２に係るレンズユニットの説明図である。
【図４】本発明の実施の形態２に係るレンズユニットにおける第１レンズとレンズバレルとの固定部の説明図である。
【図５】本発明の参考例に係るレンズユニットの説明図である。
【発明を実施するための形態】
【００２０】
図面を参照して、本発明の実施の形態を説明する。
【００２１】
［実施の形態１］
（レンズユニットの構成）
図１は、本発明の実施の形態１に係るレンズユニット１の説明図であり、図１（ａ）、（ｂ）は、レンズユニット１を物体側からみた正面図、およびレンズユニット１の断面図である。
【００２２】
図１に示すように、本形態のレンズユニット１は、光軸Ｌ方向に複数のレンズが配置された広角レンズ１０と、広角レンズ１０を内側に保持する筒状のレンズバレル７とを有しており、撮像装置等の光学装置１００に用いられる。
【００２３】
広角レンズ１０は、例えば１９０°である。広角レンズ１０は、例えば、４群のレンズ群を備えている。より具体的には、広角レンズ１０は、物体側（被写体側／前側）から順に、負のパワーを持つ第１レンズ１１からなる第１レンズ群と、負のパワーを持つ第２レンズ１２からなる第２レンズ群と、正のパワーを有する第３レンズ１３からなる第３レンズ群と、正のパワーを有する接合レンズ１４からなる第４レンズ群とを有している。第１レンズ１１はガラスレンズまたはプラスチックレンズからなり、第２レンズ１２および第３レンズ１３はプラスチックレンズからなる。接合レンズ１４は、負のパワーを有するプラスチックレンズからなる第４レンズ１５と、正のパワーを有するプラスチックレンズからなる第５レンズ１６との接合レンズである。レンズユニット１は、第３レンズ１３と第４レンズ１５との間に絞り１８を有している。また、レンズユニット１は、接合レンズ１４より像側Ｌ２に赤外線カットフィルタ１７を有している。
【００２４】
（第１レンズ１１の詳細構成）
本形態において、第１レンズ１１はプラスチックレンズからなる。このため、第１レンズ１１の外周面１１０には、成形時のゲートに相当する部分に平坦面１１４が形成されている。第１レンズ１１は、物体側Ｌ１に向かって湾曲した凸曲面からなる第１レンズ面１１１と、像側Ｌ２において、物体側Ｌ１に向かって湾曲した凹曲面からなる第２レンズ面１１２とを有しいている。
【００２５】
また、第１レンズ１１は、物体側Ｌ１に向く第１レンズ面１１１の外周側から像側Ｌ２
に突出した非レンズ部１１５を備えている。本形態において、非レンズ部１１５は円筒状に形成されており、非レンズ部１１５の外周面１１５ｂによって、第１レンズ１１の外周面１１０が構成されている。
【００２６】
第１レンズ１１において、像側Ｌ２に向く部分は、径方向内側から径方向外側に向けて、第２レンズ面１１２を構成する凹曲面１１６、光軸Ｌに直交する環状の第１フランジ部１１７、第１フランジ部１１７の外縁から像側Ｌ２に向けて斜めに傾いた環状の第２フランジ部１１８、および光軸Ｌに直交する環状の第３フランジ部１１９を備えており、第３フランジ部１１９の径方向外側で非レンズ部１１５が像側Ｌ２に向けて突出している。
【００２７】
（レンズバレル７の構成等）
第１レンズ１１は、第２レンズ１２、第３レンズ１３、および接合レンズ１４より外径寸法が大きい。第２レンズ１２、第３レンズ１３および接合レンズ１４は外径寸法が略等しく、接合レンズ１４において、第４レンズ１５は、第５レンズ１６より外形寸法が大きい。
【００２８】
かかる形状に対応して、レンズバレル７は、像側Ｌ２に位置する第１筒部７１と、第１筒部７１より物体側Ｌ１に位置する第２筒部７２とを有しており、第２筒部７２は、第１筒部７１と内径が略等しいが、第１筒部７１より肉厚が小である。
【００２９】
また、レンズバレル７は、第２筒部７２の径方向外側に第１レンズ１１に像側Ｌ２で重なる第１レンズ保持部７３を有しており、本形態において、第１レンズ保持部７３は、第２筒部７２の径方向外側で光軸Ｌに直交する環状のフランジ部７４と、環状のフランジ部７４の径方向の途中位置から物体側Ｌ１に突出した円筒状の凸部７５とを有している。このため、凸部７５の外周面は、第１レンズ１１の非レンズ部１１５の内周面１１５ａに対して径方向内側で対向する段部７５０を構成している。第１レンズ保持部７３の外径（フランジ部７４の外径）は、非レンズ部１１５の内径よりわずかに小さく、第１レンズ保持部７３の外周面７３０は、非レンズ部１１５の内周面との間にわずかな隙間を隔てて対向している。
【００３０】
（シール部材５の構成）
レンズユニット１において、第１レンズ１１とレンズバレル７との間にはシール部材５が配置されている。本形態において、シール部材５は、非レンズ部１１５より径方向内側で第１レンズ１１とレンズバレル７との間に配置されている。より具体的には、シール部材５は、ゴム製のＯリング５０からなり、筒状の凸部７５の外周面（段部７５０）と第１レンズ１１の非レンズ部１１５の内周面１１５ａとの間に挟まれた状態にある。
【００３１】
（第１レンズ１１の固定構造）
図２は、本発明の実施の形態１に係るレンズユニット１における第１レンズ１１とレンズバレル７との固定部の説明図であり、図２（ａ）、（ｂ）は、第１レンズ１１をレンズバレル７に固定する前の状態を示す説明図、および第１レンズ１１をレンズバレル７に固定した後の状態を示す説明図である。
【００３２】
図１に示すように、第１レンズ１１の非レンズ部１１５の像側Ｌ２には、第１レンズ１１を第１レンズ保持部７３に固定する固定部４が設けられている。本形態において、固定部４は、第１レンズ１１の非レンズ部１１５のうち、第１レンズ保持部７３に像側Ｌ２から重なる部分からなる。
【００３３】
より具体的には、図２（ａ）に示すように、第１レンズ１１をレンズバレル７に固定する前の状態において、第１レンズ１１の非レンズ部１１５の像側Ｌ２の面１１５ｃには、
非レンズ部１１５の内縁から像側Ｌ２に向けて突出する突起１１５ｄが形成されている。従って、図２（ｂ）に示すように、突起１１５ｄを加熱して径方向内側に変形させれば、突起１１５ｄによって、第１レンズ保持部７３の径方向外側の端部に像側Ｌ２から重なるカシメ部１１５ｅ（固定部４）が形成される。
【００３４】
（レンズの固定方法）
以下、レンズユニット１の製造方法を説明しながら、レンズバレル７に対するレンズの固定構造を説明する。
【００３５】
まず、図１（ｂ）に示すように、第４レンズ１５と第５レンズ１６とを接合した接合レンズ１４を物体側Ｌ１からレンズバレル７の第１筒部７１の内側に圧入する。ここで、第４レンズ１５は、第５レンズ１６より大径であるため、第４レンズ１５（接合レンズ１４）の外周端部は第１筒部７１の段部７１１で支持される。
【００３６】
次に、絞り１８を第４レンズ１５に重ねた後、レンズバレル７の第１筒部７１と第２筒部７２との境界部分の内側に第３レンズ１３を圧入する。
【００３７】
次に、第２レンズ１２をレンズバレル７の第２筒部７２の内側に配置した後、第２筒部７２の物体側Ｌ１の端部を内側に加熱変形させて、第２レンズ１２の外周端部に被せ、第２レンズ１２を第３レンズ１３の側に押し付け固定する。
【００３８】
次に、図２（ａ）に示すように、レンズバレル７の第１レンズ保持部７３を物体側Ｌ１から覆うように第１レンズ１１を配置する。その際、第１レンズ保持部７３の筒状の凸部７５の外周面（段部７５０）にゴム製のＯリング５０からなるシール部材５を装着しておく。その結果、ゴム製のＯリング５０（シール部材５）は、筒状の凸部７５の外周面（段部７５０）と第１レンズ１１の非レンズ部１１５の内周面１１５ａとの間に挟まれた状態になる。
【００３９】
この状態で、第１レンズ１１の第３フランジ部１１９は、第１レンズ保持部７３の凸部７５の物体側Ｌ１の端部に当接し、第１レンズ１１は光軸Ｌ方向で位置決めされる。また、第１レンズ保持部７３の外周面７３０は、非レンズ部１１５の内周面との間にわずかな隙間を隔てて対向し、第１レンズ保持部７３の像側Ｌ２の面７３１は、非レンズ部１１５の像側Ｌ２の面１１５ｃの径方向内側に位置する。また、第１レンズ保持部７３の像側Ｌ２の面７３１と非レンズ部１１５の像側Ｌ２の面１１５ｃとは光軸Ｌ方向において同一位置にある。従って、図２（ｂ）に示すように、第１レンズ１１の非レンズ部１１５の内縁に形成されている突起１１５ｄを加熱して径方向内側に変形させれば、第１レンズ保持部７３を第１レンズ１１の第３フランジ部１１９との間に挟むカシメ部１１５ｅ（固定部４）が形成され、第１レンズ１１がレンズバレル７に固定される。
【００４０】
（光学装置１００の構成）
本形態のレンズユニット１を光学装置１００に用いる際、レンズユニット１は、図１（ｂ）に示すように、レンズバレル７を径方向外側で囲む胴部２０を備えたホルダ２に搭載される。ここで、ホルダ２の胴部２０は、像側Ｌ２に位置する第１胴部２１と、第１胴部２１より物体側Ｌ１に位置する第２胴部２２とを備えており、第２胴部２２は、外径が第１胴部２１と等しいが、内径は第１胴部２１より大である。従って、レンズバレル７の第１筒部７１の外周面に雄ねじ７１０を形成しておく一方、ホルダ２の第１胴部２１の内周面に雌ねじ２１０を形成しておけば、雄ねじ７１０および雌ねじ２１０によって、レンズバレル７の第１筒部７１をホルダ２の第１胴部２１に固定することができる。
【００４１】
ここで、ホルダ２の第１胴部２１と第２胴部２２との境界部分には段部２３が形成され
ている。従って、レンズバレル７の第１筒部７１をホルダ２の第１胴部２１に固定する際、第１筒部７１にゴム製のＯリング６０を装着しておけば、Ｏリング６０によって、レンズバレル７の第１筒部７１とホルダ２の第１胴部２１との間を封止する封止部６が形成される。
【００４２】
また、ホルダ２の第２胴部２２において、第１レンズ１１と重ならない個所には、第２胴部２２を径方向に貫通するホルダ側貫通穴２８が形成されている。
【００４３】
（本形態の主な効果）
以上説明したレンズユニット１において、最も物体側Ｌ１に配置された第１レンズ１１は、第１レンズ面１１１の外周側から像側Ｌ２に向けて円筒状に突出した非レンズ部１１５を備えており、非レンズ部１１５の像側Ｌ２には、第１レンズ１１を第１レンズ保持部７３に固定する固定部４が設けられている。このため、第１レンズ１１の物体側Ｌ１には、第１レンズ１１に対する入射角度を狭める凸部が存在しない。また、レンズユニット１の物体側Ｌ１の全体が、第１レンズ１１の第１レンズ面１１１によって構成されているため、図２（ｂ）に矢印Ｗ０で示すように、物体側Ｌ１から高圧水流を供給しても、第１レンズ１１とレンズバレル７との間に水が侵入しない。また、シール部材５は、非レンズ部１１５より径方向内側で第１レンズ１１とレンズバレル７との間をシールしているため、第１レンズ１１の像側Ｌ２に水が回り込んでも、第１レンズ１１とレンズバレル７との間に水が侵入しない。それ故、本形態によれば、第１レンズ１１に対する入射角度を狭めずに、防水性を向上することができる。よって、レンズユニット１および光学装置１００を車外に監視カメラ等として搭載した場合、洗車時に高水圧の洗浄水が噴射されても、レンズユニット１および光学装置１００に不具合が発生しにくい。
【００４４】
また、固定部４は、非レンズ部１１５において像側Ｌ２に向けて突出した突起１１５ｄを第１レンズ保持部７３の径方向外側の端部に像側Ｌ２から重なるように加熱変形させたカシメ部１１５ｅからなる。このため、非レンズ部１１５の像側Ｌ２において、第１レンズ１１を第１レンズ保持部７３に容易に固定することができる。
【００４５】
また、シール部材５は、第１レンズ１１とレンズバレル７とによって径方向で挟まれたゴム製のＯリング５０からなる。このため、Ｏリングの反発力が第１レンズ１１を物体側Ｌ１あるいは像側Ｌ２に押圧する力として作用しにくいので、固定部４（カシメ部１１５ｅ）に負荷が加わりにくい。それ故、カシメ部１１５ｅが変形しにくい。
【００４６】
また、図１（ｂ）に示す光学装置１００において、ホルダ２の第２胴部２２にはホルダ側貫通穴２８が形成されているため、光学装置１００の状態で物体側Ｌ１から高圧水流が吹き付けられた際にホルダ２の内側に水が侵入しても、かかる水をホルダ側貫通穴２８から排出することができる。
【００４７】
［実施の形態１の改良例１］
実施の形態１では、非レンズ部１１５において像側Ｌ２に向けて突出した突起１１５ｄを加熱変形させてカシメ部１１５ｅ（固定部４）を構成した。但し、レンズバレル７が樹脂であれば、レンズバレル７において像側Ｌ２に向けて突出した突起を加熱変形させて、非レンズ部１１５に像側Ｌ２から重なるカシメ部（固定部４）を構成してもよい。
【００４８】
［実施の形態２］
図３は、本発明の実施の形態２に係るレンズユニット１の説明図であり、図３（ａ）、（ｂ）は、レンズユニット１の断面図、およびレンズユニット１を像側からみた背面図である。図４は、本発明の実施の形態２に係るレンズユニット１における第１レンズ１１とレンズバレル７との固定部の説明図であり、図４（ａ）、（ｂ）は、第１レンズ１１をレ
ンズバレル７に固定する前の状態を示す説明図、および第１レンズ１１をレンズバレル７に固定した後の状態を示す説明図である。なお、本形態の基本的な構成は、実施の形態１と同様であるため、共通する部分には同一の符号を付して図示し、それらの説明を省略する。
【００４９】
図３に示すレンズユニット１も、実施の形態１と同様、第１レンズ１１は、物体側Ｌ１に向く第１レンズ面１１１の外周側から像側Ｌ２に突出した非レンズ部１１５を備えている。本形態においても、実施の形態１と同様、非レンズ部１１５は円筒状に形成されており、非レンズ部１１５の外周面１１５ｂによって、第１レンズ１１の外周面１１０が構成されている。また、レンズバレル７は、第２筒部７２の径方向外側に第１レンズ１１に像側Ｌ２で重なる第１レンズ保持部７３を有しており、本形態において、第１レンズ保持部７３は、第２筒部７２の径方向外側で光軸Ｌに直交する環状のフランジ部７４と、フランジ部７４の径方向の途中位置から物体側Ｌ１に突出した円筒状の凸部７５とを有している。このため、凸部７５の外周面は、第１レンズ１１の非レンズ部１１５の内周面１１５ａに対して径方向で対向する段部７５０を構成している。ここで、第１レンズ保持部７３の外径（フランジ部７４の外径）は、非レンズ部１１５の外径と略等しく、第１レンズ保持部７３は、非レンズ部１１５の全体に像側Ｌ２で重なっている。
【００５０】
このように構成したレンズユニット１において、第１レンズ１１とレンズバレル７との間にはシール部材５が配置されている。シール部材５は、ゴム製のＯリング５０からなり、筒状の凸部７５の外周面（段部７５０）と第１レンズ１１の非レンズ部１１５の内周面１１５ａとの間に挟まれた状態にある。
【００５１】
第１レンズ１１の非レンズ部１１５の像側Ｌ２には、第１レンズ１１を第１レンズ保持部７３に固定する固定部４が設けられている。本形態において、固定部４は、第１レンズ１１の非レンズ部１１５のうち、第１レンズ保持部７３に像側Ｌ２から重なる部分からなる。
【００５２】
より具体的には、図４（ａ）に示すように、第１レンズ保持部７３において非レンズ部１１５に像側で重なる部分には、周方向の複数個所に穴７４５が形成されている。本形態において、穴７４５は、周方向の４個所に等角度間隔に形成されている。また、第１レンズ１１をレンズバレル７に固定する前の状態において、第１レンズ１１の非レンズ部１１５の像側Ｌ２の面１１５ｃには、穴７４５に嵌る突起１１５ｆが形成されており、突起１１５ｆの端部１１５ｇは、穴７４５を貫通して第１レンズ保持部７３から像側Ｌ２に突出している。従って、図４（ｂ）に示すように、突起１１５ｆの端部１１５ｇを加熱して変形させれば、突起１１５ｆの端部１１５ｇによって、第１レンズ保持部７３の穴７４５の周りに像側Ｌ２から重なるカシメ部１１５ｈ（固定部４）が形成される。
【００５３】
このように構成したレンズユニット１においても、実施の形態１と同様、最も物体側Ｌ１に配置された第１レンズ１１は、第１レンズ面１１１の外周側から像側Ｌ２に向けて突出した非レンズ部１１５を備えており、非レンズ部１１５の像側Ｌ２には、第１レンズ１１を第１レンズ保持部７３に固定する固定部４が設けられている。このため、第１レンズ１１の物体側Ｌ１には、第１レンズ１１に対する入射角度を狭める部位が存在しない。また、図４（ｂ）に矢印Ｗ０で示すように、物体側Ｌ１から高圧水流を供給しても、第１レンズ１１とレンズバレル７との間に水が侵入しない。また、シール部材５は、非レンズ部１１５より径方向内側で第１レンズ１１とレンズバレル７との間をシールしているため、第１レンズ１１の像側Ｌ２に水が回り込んでも、第１レンズ１１とレンズバレル７との間に水が侵入しない。それ故、本形態によれば、第１レンズ１１に対する入射角度を狭めずに、防水性を向上することができる等、実施の形態１と同様な効果を奏する。
【００５４】
また、突起１１５ｆは、第１レンズ１１に対する回り止め部として機能する。従って、水圧が第１レンズ１１に加わっても、第１レンズ１１が光軸Ｌ周りに回転しにくい。
【符号の説明】
【００５５】
１  レンズユニット
２  ホルダ
２０  胴部
２８  ホルダ側貫通穴
４  固定部
５  シール部材
５０  Ｏリング
６  封止部
６０  Ｏリング
７  レンズバレル
７３  第１レンズ保持部
７４  環状フランジ部
７４５  穴
７５  凸部
７５０  段部
１０  広角レンズ
１１  第１レンズ
１１１  第１レンズ面
１１２  第２レンズ面
１１５  非レンズ部
１１５ａ  非レンズ部の内周面
１１５ｂ  非レンズ部の外周面
１１５ｃ  非レンズ部の像側の面
１１５ｄ、１１５ｆ  突起
１１５ｅ、１１５ｈ  カシメ部
１００  光学装置
Ｌ  光軸
Ｌ１  物体側
Ｌ２  像側
【図１】
2015210334.tif 000003
【図２】
2015210334.tif 000004
【図３】
2015210334.tif 000005
【図４】
2015210334.tif 000006
【図５】
2015210334.tif 000007